(57)【要約】      （修正有）【課題】簡単に小さくすることを可能とする薄型収納傘を提供する。【解決手段】傘の柄１の上部に傘の柄１と傘の生地２を取り付ける取り付け具３を設け、取り付け具３を介して傘の生地２を固定し、取り付け具３に接続する部分の傘の生地２を補強し、傘の生地２の外周に円形の弾力性のある骨組４を取り付け、雨が傘の柄１に流れ込まないように傘の生地２の外周に下向きに生地を設け、骨組４に傘の柄１に取り付けるための紐５を取り付け、骨組を紐５が移動しないよう固定し、傘の柄１に紐５を取り付けるための接続具６を取り付ける。紐５は強度を高くし、接続具６は紐５が動かないよう固定し、接続具６は傘の生地２が張った状態にできる位置に設け、傘が濡れても収納できるように防水の収納ケースを設けたことを特徴とする薄型収納傘。【選択図】図１
2009072541.tif 000002
【特許請求の範囲】
【請求項１】
（イ）傘の柄（１）の上部に傘の柄（１）と傘の生地（２）を取り付ける取り付け具（３）を設ける。
（ロ）取り付け具（３）を介して傘の生地（２）を固定する。
（ハ）傘の生地（２）の外周に略円形状の弾力があり、復元性のある骨組（４）を設ける。
（ニ）骨組（４）に傘の柄（１）に取り付けるための紐（５）を設ける。
（ホ）傘の柄（１）に紐（５）を取り付けるための接続具（６）を設ける。
（ヘ）接続具（６）は傘の生地（２）が張った状態にできる位置に設ける。
以上の構成よりなる薄型収納傘。
【発明の詳細な説明】
【技術分野】
【０００１】  本発明は、弾力があり、復元性のある略円形状の骨組を設けた薄型収納傘に関するものである。
【背景技術】
【０００２】  従来、傘の形状を維持する骨は傘のてっぺんから放射状に延びて傘に張られた布の先まで張られてあり、形を維持するため骨が複数本必要であった。
また、収納するのに折りたたむための構造を骨に持たせる必要があったので太くなっていた。
それから形を保つために骨組で固定するので風の力をまともに受けていた。
【発明の開示】
【発明が解決しようとする課題】
【０００３】  そのため閉じて収納しようとしたときに、どうしても厚みが出来てしまっていた。
たとえば、カバンに収納し、持ち運ぶとき、長さは短くできても太いままなので常時携帯するのには不便であった。
また、強い風では骨が折れたり、おちょこ状になる。
本発明は、以上のような欠点をなくすためになされたものである。
【課題を解決するための手段】
【０００４】（イ）傘の柄（１）の上部に傘の柄（１）と傘の生地（２）を取り付ける取り付け具（３）を設ける。
（ロ）取り付け具（３）を介して傘の生地（２）を固定する。
（ハ）傘の生地（２）の外周に略円形状の弾力があり、復元性のある骨組（４）を設ける。
（ニ）骨組（４）に傘の柄（１）に取り付けるための紐（５）を設ける。
（ホ）傘の柄（１）に紐（５）を取り付けるための接続具（６）を設ける。
（ヘ）接続具（６）は傘の生地（２）が張った状態にできる位置に設ける。
本発明は、以上の構成よりなる薄型収納傘である。
【発明の効果】
【０００５】  骨組みに折りたたむための構造を必要としないため細く出来き、放射状に延ばす必要がない分、骨の数を減らすことができ構造上必要となる骨の量を減らすことができる。
傘の生地の骨格となる円形の骨を収納するとき円形の骨を何重にも重ねることでコンパクトにすることを可能とする。
「円周の長さ＝円周率×直径」なので二重に重ねれば、円周と直径は半分になり、三重に重ねれば、約３分の１になる。
弾力があり、復元性のある骨を使用しているため、開くときは柄を持ち生地を離せば自動的に拡がり、閉じるときは骨の対角線を持ち捻じることで簡単に小さくすることを可能とする。
弾力があり、復元性のある骨を使用しているため強い風でも風を受け流すので骨が折れにくく、おちょこ状になることがない。
【発明を実施するための最良の形態】
【０００６】  以下、本発明の実施するための最良の形態について説明する。
（イ）伸縮自在の傘の柄（１）の上部に傘の柄（１）と傘の生地（２）を取り付ける取り付け具（３）を設ける。
（ロ）取り付け具（３）を介して傘の生地（２）を固定する。
風の強い時に力がかかるので取り付け具（３）に接続する部分の傘の生地（２）を補強する生地（８）を取り付けたり、傘の生地（２）自身を強度のあるものとする。
（ハ）傘の生地（２）の外周に略円形状の弾力があり、復元性のある骨組（４）を設ける。
（ニ）骨組（４）に傘の柄（１）に取り付けるための紐（５）を設ける。
骨組（４）上を紐（５）が移動しないよう固定する。
紐（５）を通して雨が傘の柄（１）に流れ込まないように傘の生地（２）の外周より下側に生地を設けたり、骨組（４）を傘の生地（２）の外周より内側に設けたり、骨組（４）に先に紐（５）を取り付けその上から傘の生地（２）をかぶせる。
（ホ）傘の柄（１）に紐（５）を取り付けるための接続具（６）を設ける。
紐（５）は強風に耐えられるように強度の高いものとする。
接続具（６）は紐（５）が動かないよう固定する。
（ヘ）接続具（６）は傘の生地（２）が張った状態にできる位置に設ける。
接続具（６）を柄（１）に固定する。
傘の柄（１）の上部と接続具（６）の間にスペースを保てるスペーサー（９）を置くことで固定しなくても傘の生地（２）が張った状態に保てる。
このとき、スペーサー（９）と接続具（６）を一体にしても同じ効果が得られる。
（ト）傘が濡れても収納できるように防水の収納ケース（７）を提供する。
本発明は、以上のような構造である。
本発明の使い方を説明する。
（イ）傘を開くときは、収納ケース（７）から傘を取り出し傘の柄（１）を持てば骨組（４）の弾力で自動的に傘が開く。
（ロ）傘を閉じるときは、骨組（４）の対角線の位置を手で持ち捻じると一般に３重に重なり収納ケース（７）にしまえる様になる。
風の強いときの使い方を説明する。
（イ）人が持つ傘の柄（１）と骨組（４）が直接固定されておらず傘の生地（２）を介して接続されているため弾力性のある骨組（４）が風下に曲がり薄くなり、横から見ると円盤が風圧で半円になり風を逃がし骨組（４）が折れにくくする。
（ロ）風を傘の下から受けると紐（５）が凧の紐のように働くが骨組みに弾力性があるため骨組（４）が風下に曲がり薄くなり、横から見ると円盤が風圧で半円になり風を逃がすので風が弱くなれば骨組（４）の弾力で戻り、おちょこ状にならない。
安全性について、説明する。
（イ）従来の傘の骨組が放射状に外側に向いているのと違い、骨組（４）が極円状形になっているため隣人を突くことがなく安全である。
（ロ）そのためスポーツなどの応援用の傘として使用しても安全である。
（ハ）人文字の板の代わりに使用しても安全で、コンパクトに収納できる。
【図面の簡単な説明】
【０００７】
【図１】  本発明の一実施形態を示した傘を開いた立面図である。
【図２】  本発明の一実施形態を示した傘を開いた底面図である。
【図３】  本発明の傘を収納するための第一段階の捻じれを入れようとしている斜視図である。
【図４】  本発明の傘を収納するための第二段階のケースに収納する直前の斜視図である。
【図５】  本発明の傘をケースに収納した一実施形態を示した平面図である。
【図６】  本発明の傘を自動的に開くときの指で持っている実施形態を示した斜視図である。
【図７】  本発明の傘に強い風があたったときの傘の状態を示した斜視図である。
【図８】  本発明の傘の下側から強い風が当ったときの傘の状態を示した斜視図である。
【符号の説明】
【０００８】  １    傘の柄
２    傘の生地
３    取り付け具
４    傘の骨組
５    紐
６    接続具
７    傘を収納するケース
８    傘の生地の補強部分
９    スペーサー
１０    人の指
１１    持ち手
【図１】
2009072541.tif 000003
【図２】
2009072541.tif 000004
【図３】
2009072541.tif 000005
【図４】
2009072541.tif 000006
【図５】
2009072541.tif 000007
【図６】
2009072541.tif 000008
【図７】
2009072541.tif 000009
【図８】
2009072541.tif 000010